(57)【特許請求の範囲】
【請求項１】
書類を入れる箱体であって、
前壁、後壁及び側壁を有する周囲壁と、
前記周囲壁の上面開口の一部を閉塞して前記書類の挿入口を形成する第１の蓋片と、
前記挿入口を閉塞可能に設けられる第２の蓋片とを備え、
前記第２の蓋片は差込片を備え、
前記第１の蓋片には、前記差込片を受入れ可能であり、前記差込片が差し込まれた場合には前記差込片が前記第１の蓋片に係合するように構成される切込部が形成され、
前記前壁には、前記差込片を挿抜可能に受入れ可能な差込口が形成されること、
を特徴とする箱体。
【請求項２】
請求項１に記載の箱体であって、
前記第１の蓋片は側端に差込片を備え、
前記側壁は上端部内側に折曲げ可能なフラップを備え、
前記フラップには前記第１の蓋片の前記差込片を受入れ可能な差込口が設けられること、
を特徴とする箱体。
【請求項３】
請求項１又は２に記載の箱体であって、
前記切込部には、三日月状の切欠部が設けられること、
を特徴とする箱体。
【請求項４】
請求項１乃至３のいずれか１項に記載の箱体であって、
前記周囲壁の下面開口を閉塞する底壁が設けられ、
前記差込口は、前記前壁と前記底壁との接続端部に設けられ、前記底壁側に切欠が設けられること、
を特徴とする箱体。
【発明の詳細な説明】
【技術分野】
【０００１】
本発明は、箱体に関する。
【背景技術】
【０００２】
特許文献１には、箱の蓋片を閉塞状態にロックする構成が提示されている。
【先行技術文献】
【特許文献】
【０００３】
【特許文献１】特許5671490号公報
【発明の概要】
【発明が解決しようとする課題】
【０００４】
しかしながら、特許文献１に記載の包装用箱では、書類を内部に入れる際に蓋片を開放する必要があり、書類の提出者に内包の書類が見えてしまう。
【０００５】
本発明はこのような背景を鑑みてなされたものであり、書類の回収が可能な箱を提供することを目的とする。
【課題を解決するための手段】
【０００６】
上記課題を解決するための本発明の主たる発明は、書類を入れる箱体であって、前壁、後壁及び側壁を有する周囲壁と、前記周囲壁の上面開口の一部を閉塞して前記書類の挿入口を形成する第１の蓋片と、前記挿入口を閉塞可能に設けられる第２の蓋片とを備え、前記第２の蓋片は差込片を備え、前記第１の蓋片には、前記差込片を受入れ可能であり、前記差込片が前記切込部に差し込まれた場合には前記差込片が前記第１の蓋片に係合するように構成される切込部が形成され、前記前壁には、前記差込片を挿抜可能に受入れ可能な差込口が形成されること、を特徴とする。
【０００７】
その他本願が開示する課題やその解決方法については、発明の実施形態の欄及び図面により明らかにされる。
【発明の効果】
【０００８】
本発明によれば、箱により書類を回収することができる。
【図面の簡単な説明】
【０００９】
【図１】本発明の一実施形態に係る書類箱１の書類挿入口１３が開放された状態を示す斜視図である。
【図２】書類箱１の書類挿入口１３が開放されたまま、書類箱１の底壁２４を上方に向けた状態を示す斜視図である。
【図３】書類箱１の書類挿入口１３が閉塞された状態を示す斜視図である。
【図４】書類箱１の展開図である。
【発明を実施するための形態】
【００１０】
＜発明の概要＞
本発明の実施形態の内容を列記して説明する。本発明は、たとえば、以下のような構成を備える。
［項目１］
書類を入れる箱体であって、
前壁、後壁及び側壁を有する周囲壁と、
前記周囲壁の上面開口の一部を閉塞して前記書類の挿入口を形成する第１の蓋片と、
前記挿入口を閉塞可能に設けられる第２の蓋片とを備え、
前記第２の蓋片は差込片を備え、
前記第１の蓋片には、前記差込片を受入れ可能であり、前記差込片が前記切込部に差し込まれた場合には前記差込片が前記第１の蓋片に係合するように構成される切込部が形成され、
前記前壁には、前記差込片を挿抜可能に受入れ可能な差込口が形成されること、
を特徴とする箱体。
［項目２］
項目１に記載の箱体であって、
前記第１の蓋片は側端に差込片を備え、
前記側壁は上端部内側に折曲げ可能なフラップを備え、
前記フラップには前記第１の蓋片の前記差込片を受入れ可能な差込口が設けられること、
を特徴とする箱体。
［項目３］
項目１又は２に記載の箱体であって、
前記切込部には、前記三日月状の切欠部が設けられること、
を特徴とする箱体。
［項目４］
項目１乃至３のいずれか１項に記載の箱体であって、
前記周囲壁の下面開口を閉塞する底壁が設けられ、
前記差込口は、前記前壁と前記底壁との接続端部に設けられ、前記底壁側に切欠が設けられること、
を特徴とする箱体。
【００１１】
図１は、本発明の一実施形態に係る書類箱１の書類挿入口１３が開放された状態を示す斜視図である。図２は、書類箱１の書類挿入口１３が開放されたまま、書類箱１の底壁２４を上方に向けた状態を示す斜視図である。図３は、書類箱１の書類挿入口１３が閉塞された状態を示す斜視図である。図４は、書類箱１の展開図である。
【００１２】
書類箱１は、例えばダンボール製とすることができる。なお、書類箱１の素材は、ダンボールに限らず、厚紙やプラスチックなどであってもよい。
【００１３】
書類箱１は、角筒状の周囲壁２０と、周囲壁２０の下端に設けられた底壁２４と、周囲壁２０の上端に設けられた蓋片１１及び１２とを備える。
【００１４】
周囲壁２０は、前壁２１および後壁（不図示）と、前壁２１及び後壁（不図示）の両端部間を接続する２つの側壁２２とを備える。周囲壁２０の上端には２つの蓋片１１及び１２が配される。本実施形態では、前壁２１の上端に蓋片１２が配され、後壁の上端に蓋片１１が配される。
【００１５】
蓋片１１の側端部には、差込片６１が設けられる。側壁２２の上端部にはフラップ２３が設けられ、フラップ２３には差込片６１を挿入可能な差込口６０が形成される。フラップ２３は、側壁２２から内側に折り曲げられ、本実施形態では、さらにフラップ２３の開放端側の一部を、コの字型を形成するようにさらに内側底壁２４向きに折り曲げる。差込口６０に差込片６１を挿入することにより、蓋片１１は側壁２２に両端部で係止され、蓋片１１により周囲壁２０の上端開口部の一部が閉塞される。これにより、周囲壁２０の上端開口部の残部が書類挿入口１３として利用可能となる。
【００１６】
蓋片１２の開放端には差込片３０が設けられる。前壁２１の下端部には差込口５０が形成される。本実施形態では、差込口５０は、底壁２４と前壁２１との接続端部に形成されている。書類箱１が書類挿入口１３から書類を受け入れ可能とするときには、蓋片１２は、外側向け（矢印Ｄの方向）に折り曲げられる。このとき差込片３０を折り曲げて差込口５０に挿入することができる。差込片３０の幅Ｗ０と、差込口５０の幅Ｗ１とは、差込片３０が差込口５０と嵌合可能となるような長さとすることができる。本実施形態では、差込時に差込片３０と差込口５０とが嵌合されるように、蓋片１２の差込片３０の幅Ｗ０は、差込口５０の幅Ｗ１よりも１ｍｍだけ大きくしている。なお、差込片３０の幅Ｗ０と、差込口５０の幅Ｗ１とを略同一としてもよい。差込口５０には、半円状の切欠５１が設けられる。切欠５１は、底壁２４に設けられる。したがって、前壁２１側から差込口５０に挿入されて嵌合された差込片３０を、切欠５１から指をかけることで容易に取り外すことができる。
【００１７】
書類箱１の書類挿入口１３を閉塞させるときには、差込片３０は差込口５０から外され、蓋片１２は内側向け（矢印Ｕの方向）に折り曲げられる。蓋片１１にも、差込口４０が設けられる。蓋片１１に設けられる差込口４０は、前壁２１に設けられる差込口５０とは異なり、差込片３０が差し込まれた場合に差込片３０と蓋片１２の内面とが係合されるように、切込により形成される。差込片３０を差込容易とするべく、差込口４０には三日月状の切欠４１が設けられるが、切欠４１の長さＷ２は、差込口５０の幅Ｗ１及び差込片３０の幅Ｗ０よりも短い。切込４２により差込片３０は差込口４０に差込可能であるが、差込後、差込片３０の係合部３１が蓋片１１の内面と係合し、差込片３０が取り出し困難に係止される。
【００１８】
図４に示す斜線部にはのり付けがされ、周囲壁２０を筒状に広げることにより、底壁２４が自動的に形成される。そして、蓋片１１を内側に折り曲げ、両端部の差込片６１を側壁２２のフラップ２３に設けられた差込口６０に差し込むとともに、蓋片１１を外側に折り曲げて、開放端の差込片３０を差込口５０に差し込むことにより、書類挿入口２３が開放された書類箱１が完成する。この書類箱１を用いて、例えば、従業員の年末調整に関する書類などの回収を行うことができる。
【００１９】
書類の回収後は、差込片３０が差込口５０から外して蓋片１１を内側（矢印Ｕの方向）に折り曲げ、差込片３０を差込口４０に挿入して蓋片１１に係合させる。差込片３０は差込口４０から取り外し困難となり、閉塞された書類箱１を、例えば、外部の専門家に送付することが可能となる。
【００２０】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【符号の説明】
【００２１】
１    書類箱
１１  蓋片
１２  蓋片
１３  書類挿入口
２０  周囲壁
２１  前壁
２２  側壁
２３  フラップ
２４  底壁
３０  差込片
３１  係合部
４０  差込口
４１  切欠
４２  切込
５０  差込口
５１  切欠
６０  差込口
６１  差込片
【要約】
【課題】箱により書類を回収することができるようにする。
【解決手段】書類を入れる箱体であって、前壁、後壁及び側壁を有する周囲壁と、周囲壁の上面開口の一部を閉塞して書類の挿入口を形成する第１の蓋片と、挿入口を閉塞可能に設けられる第２の蓋片とを備え、第２の蓋片は差込片を備え、第１の蓋片には、差込片を受入れ可能であり、差込片が切込部に差し込まれた場合には差込片が第１の蓋片に係合するように構成される切込部が形成され、前壁には、差込片を挿抜可能に受入れ可能な差込口が形成されること、を特徴とする。
【選択図】図１【図１】
0006883368.tif 000002
【図２】
0006883368.tif 000003
【図３】
0006883368.tif 000004
【図４】
0006883368.tif 000005